(57)【要約】【課題】回転扉において、人が巻き込まれて挟まれた場合における当接箇所にクッション性を有するスポンジ又はゴムを配置することで、万一人が挟まれた場合であっても危害を与えることのない回転扉の提供を図る。【解決手段】回転扉（１）の外周において、建物（２）との接点を人が通れる程度に切除すると共にその切除した部分に複数の切り込みが入ったスポンジ又はゴム（３）を備えることにより、人の巻き込み事故及び寒暑風塵の侵入を防ぐことができるようにした構造を採用する。【選択図】図１
0003112075.tif 000002
【実用新案登録請求の範囲】
【請求項１】
回転扉（１）の外周で建物柱（２）との接点を人が通れる程度に切除して、これを通路（Ａ）とし、これを加圧で屈曲するスポンジ枚（３）などで囲み、人が巻き込まれる事と、寒暑風塵の侵入を防ぎ回転扉（１）休止の時は指定の位置に止め通路（Ａ）を閉じる処置を取る事を特徴とした回転扉。
【考案の詳細な説明】
【技術分野】
【０００１】  本考案は、回転扉にスポンジ枝を取り付けた人に優しい回転扉である。
【背景技術】
【０００２】  従来の回転扉は誠に快適であるが、その構造は回転扉（１）と建物柱（２）はともに金属製であり、これに人が挟まれると、脱出不能となり危険この上なく、ビル用の回転扉に挟まれる事故が相次いでいるため、早急に事故防止策が必要である。
【考案の開示】
【考案が解決しようとする課題】
【０００３】  回転扉（１）先端部にスポンジ枝又はゴム枝（３）など加圧で屈曲する材質で囲み、万一人が巻き込まれると、人はスポンジ枝を押して通路（Ａ）に出ると同時に出口から出る事ができる。
【課題を解決するための手段】
【０００４】  スポンジ枝（３）などには横の切り込み（４）が有るので通路に出た人が接するスポンジ（３）の部分だけが変形するが他には関係せず、外気との接触はスポンジ枝が屈曲した部分だけの量で済む。
【考案の効果】
【０００５】  人が利用する場合は、スポンジ枝（３）のクッションにより人に危害を与えず、稼動していない場合は、寒暑風塵を防ぐ効果がある。
【考案を実施するための最良の形態】
【０００６】  回転扉はほとんどがビルの来客用扉として利用されており、ビル全体の美化も考慮して透明の素材を利用する。
【図面の簡単な説明】
【０００７】
【図１】平面図と断面図
【図２】一部側面図
【符号の説明】
【０００８】１  回転扉２  柱３  スポンジ枝４  切り込みＡ  通路
【図１】
0003112075.tif 000003
【図２】
0003112075.tif 000004
【手続補正書】
【提出日】平成16年4月15日(2004.4.15)
【手続補正１】
【補正対象書類名】実用新案登録請求の範囲
【補正対象項目名】全文
【補正方法】変更
【補正の内容】
【実用新案登録請求の範囲】
【請求項１】
回転扉（１）の外周で建物柱（２）との接点を人が通れる程度に切除して、これを通路（Ａ）とし、これを加圧で屈曲するスポンジ枝（３）などで囲み、建物柱（２）の一部に取り付け、人が巻き込まれる事と、巻き込まれた時に自力で脱出できて寒暑風塵の進入を防ぎ回転扉（１）休止の時は指定の位置に止め通路（Ａ）を閉じる処置を取る事を特徴とした回転扉。
【手続補正２】
【補正対象書類名】明細書
【補正対象項目名】全文
【補正方法】変更
【補正の内容】
【考案の詳細な説明】
【技術分野】
【０００１】  本考案は、回転扉（１）と入口、出口の建物柱（２）にスポンジ枝（３）を取り付けた人に優しい回転扉である。
【背景技術】
【０００２】  従来の回転扉は誠に快適であるが、センサーにより作動し、回転扉を停止するものであり、センサーでは入口に居る人が乗るか否かの判断は不能で、乗る事を確認して作動した時に、瞬時の差で入口に挟み込まれて居り、自動扉が急停止すると関係の無い他の乗客が転倒、恐怖など迷惑をかける事になる。また、回転扉（１）建物柱（２）の構造は共に金属製又は硬質のものであり、これに人が挟まれると、脱出不能となり危険この上なく、ビル用の回転扉に挟まれる事故が相次いで発生しているため、早急に事故防止策が必要である。
【考案の開示】
【考案が解決しようとする課題】
【０００３】  回転扉（１）外周と建物柱（２）入口、出口角にスポンジ枝又は軟質のゴム枝（３）など加圧で屈曲する材質で囲み、万一人が巻き込まれると、人は自力でスポンジ枝（３）を押して通路（Ａ）に出ると同時に出口から出る事ができる。
【課題を解決するための手段】
【０００４】    スポンジ枝（３）などには横の切り込み（４）があるので通路に出た人が接するスポンジ枝（３）の部分だけが変形するが他には関係せず、外気との接触はスポンジ枝（３）が屈曲した部分だけの量で済む。
【考案の効果】
【０００５】  人が巻き込まれた時は、スポンジ枝（３）のクッションにより人に危害を与えず、稼動していない場合は、寒暑風塵を防ぐ効果があり、自分で脱出ができ、現存の自動扉（１）の改良には期間的にも経費においても僅かで済む。
【考案を実施するための最良の形態】
【０００６】  回転扉はほとんどがビルの来客用扉として利用されており、ビル全体の美化も考慮して透明の素材を利用する。
【図面の簡単な説明】
【０００７】
【図１】平面図と側面図
【符号の説明】
【０００８】  １  回転扉
２  建物柱
３  スポンジ枝又はゴム枝
４  横切り込み
Ａ  通路
Ｂ  入口
→  回転方向
【手続補正３】
【補正対象書類名】図面
【補正対象項目名】全図
【補正方法】変更
【補正の内容】
【図１】
0003112075.tif 000005
【手続補正書】
【提出日】平成16年9月6日(2004.9.6)
【手続補正２】
【補正対象書類名】実用新案登録請求の範囲
【補正対象項目名】全文
【補正方法】変更
【補正の内容】
【実用新案登録請求の範囲】
【請求項１】
回転扉（１）の外周において、建物（２）との接点を人が通れる程度に切除すると共にその切除した部分に複数の切り込みが入ったスポンジ又はゴム（３）を備えることにより、人の巻き込み事故及び寒暑風塵の侵入を防ぐことができるようにしたことを特徴とする回転扉（１）。
【手続補正３】
【補正対象書類名】明細書
【補正対象項目名】全文
【補正方法】変更
【補正の内容】
【考案の詳細な説明】
【技術分野】
【０００１】
本考案は、回転扉に関する。
【背景技術】
【０００２】
従来の回転扉は、誠に快適であるが、その構造は回転扉と建物が共に金属製となっており、これに人が挟まれると、脱出不能となって危険この上なく、ビル用の回転扉に挟まれる事故が相次いでいるため、早急に事故防止策が必要である。
【考案の開示】
【考案が解決しようとする課題】
【０００３】
上記問題に鑑み、本考案は、回転扉において、人が巻き込まれた場合であっても人に危害を与えない回転扉を提供することを目的とする。
【課題を解決するための手段】
【０００４】
上記目的を達成するため、本考案は、回転扉（１）の外周において、建物（２）との接点を人が通れる程度に切除すると共にその切除した部分に複数の切り込みが入ったスポンジ又はゴム（３）を備えることにより、人の巻き込み事故及び寒暑風塵の侵入を防ぐことができるようにした構造となっている。
【考案の効果】
【０００５】
人が回転扉に巻き込まれて挟まれた場合であっても、スポンジ又はゴムのクッション性により人に危害が与えられず、また、回転扉からの寒暑風塵の侵入も防ぐ効果がある。
【考案を実施するための最良の形態】
【０００６】
回転扉１の外周において、人が通れる程度に切除され、その切除した部分に複数の切り込みを入れることで加圧により屈曲する材質のもの、詳しくはスポンジ又はゴム３が備えられる。これにより、万一人が巻き込まれると、人はそのスポンジ又はゴム３を押すことによって、通路Ａに出ることができると同時に出口から出ることが可能となる。
【０００７】
スポンジ又はゴム３には、横に切り込みが設けられているため、人がその回転扉１におけるスポンジ又はゴム３に接した場合に、該スポンジ又はゴム３の接した部分のみが変形し他の部分は変形しない。したがって、外気との接触は、スポンジ又はゴム３が加圧により屈曲した部分だけとなる。
【図面の簡単な説明】
【０００８】
【図１】本考案にかかる回転扉の構造を示す部分断面図である。
【図２】本考案にかかる回転扉の本体を示す概略斜視図である。
【符号の説明】
【０００９】
１    回転扉
２    建物
３    スポンジ又はゴム
４    切り込み
Ａ    通路
【手続補正４】
【補正対象書類名】図面
【補正対象項目名】全図
【補正方法】変更
【補正の内容】
【図１】
0003112075.tif 000006
【図２】
0003112075.tif 000007